(57)【特許請求の範囲】
【請求項１】
戸パネル（１）に装着される取付部（４）と、ガイドレール（２）で移行案内される走行部（３）と、取付部（４）と走行部（３）とを連結するランナー軸（５）とを備えており、
走行部（３）のボディ（８）に、ガイドレール（２）と接当係合して走行部（３）を移動不能に固定するストッパー（６）が設けてあり、
ストッパー（６）が、ボディ（８）で回転自在に支持されたロックねじ（２４）と、ロックねじ（２４）でねじ軸心に沿って螺進操作されるロック体（２３）とで構成されており、
ガイドレール（２）の外面に露出するボディ（８）の一部に、挟持部（１４）が張り出し形成されており、
ロック体（２３）と挟持部（１４）とが、ガイドレール（２）の底壁（２ｃ）を内外から挟持して走行部（３）を固定する戸パネル用のランナー。
【請求項２】
戸パネル（１）に装着される取付部（４）と、ガイドレール（２）で移行案内される走行部（３）と、取付部（４）と走行部（３）とを連結するランナー軸（５）とを備えており、
走行部（３）のボディ（８）に、ガイドレール（２）と接当係合して走行部（３）を移動不能に固定するストッパー（６）が設けてあり、
ストッパー（６）が、ボディ（８）で回転自在に支持されたロックねじ（２４）と、ロックねじ（２４）でねじ軸心に沿って螺進操作されるロック体（２３）とで構成されており、
ロックねじ（２４）に右ねじ軸（２９）と左ねじ軸（３０）とが設けられており、
ロック体（２３）が、左右のねじ軸（２９・３０）に噛み合う第１および第２ロック体（２３ａ・２３ｂ）で構成されており、
両ロック体（２３ａ・２３ｂ）が、それぞれガイドレール（２）の内面対向壁を強圧して走行部（３）を固定する戸パネル用のランナー。
【請求項３】
戸パネル（１）に装着される取付部（４）と、ガイドレール（２）で移行案内される走行部（３）と、取付部（４）と走行部（３）とを連結するランナー軸（５）とを備えており、
走行部（３）のボディ（８）に、ガイドレール（２）と接当係合して走行部（３）を移動不能に固定するストッパー（６）が設けてあり、
ストッパー（６）が、ボディ（８）にねじ込まれるロックねじ（２４）と、ロックねじ（２４）に同行して移動するロック体（２３）とで構成されており、
ロック体（２３）は、レール開口（２ｄ）の開口幅より幅狭で、全長が前記開口幅より大きく設定されており、
ガイドレール（２）の底壁（２ｃ）に形成した係合部（３５）に、前記ロック体（２３）を係合して、走行部（３）を固定する戸パネル用のランナー。
【請求項４】
戸パネル（１）に装着される取付部（４）と、ガイドレール（２）で移行案内される走行部（３）と、取付部（４）と走行部（３）とを連結するランナー軸（５）とを備えており、
走行部（３）のボディ（８）に、ガイドレール（２）と接当係合して走行部（３）を移動不能に固定するストッパー（６）が設けてあり、
ストッパー（６）が、ボディ（８）で回転自在に支持したロックねじ（２４）と、ロックねじ（２４）と噛み合ってねじ軸心に沿って移動操作されるくさび体（３８）と、ねじ軸心と直行する向きに配置されて、くさび体（３８）で互いに離れる向きに移動操作される一対のロック体（２３・２３）と、両ロック体（２３）を互いに接近する向きに移動付勢するばね（３９）とで構成されており、
両ロック体（２３・２３）が、ガイドレール（２）の内面対向壁に強圧して走行部（３）を固定する戸パネル用のランナー。  
【発明の詳細な説明】
【０００１】
【発明の属する技術分野】
この発明は、ガイドレールで移行案内される戸パネル用のランナーに関する。
【０００２】
【従来の技術】
例えば折り戸において、ランナーをガイドレールの側端に固定して、ランナー軸を戸パネルの吊元旋回軸に利用する使用形態を採ることがある。ランナーをガイドレールに対して固定あるいは係合保持する際には、ランナーストッパーを用いる。ランナーストッパーにはいくつかの種類があり、ランナーボディを弾性腕で係合保持する形式（実公平８−７００８号公報）、ランナーのローラを弾性腕で係合保持する形式（特開平７−４２４３８号公報）、ランナー軸を捕捉係合する形式（実開平５−７１３８６号公報、特開昭５８−１７３２７２号公報）などがある。
【０００３】
【発明が解決しようとする課題】
上記のような従来のランナーストッパーは、殆どの場合、ランナー捕捉体と、これをガイドレールに固定するねじと、板ナットなどで構成してあり、いずれもランナーとは別の独立したユニット部品として構成するので、その分だけコストが嵩む。各部品をガイドレールに組み付ける手間も掛かる。
【０００４】
殆どのランナーストッパーは、ランナーの一部を弾性変形可能なランナー捕捉体で係合保持するので、例えば折り戸を勢い良く開閉する場合に、吊元側の戸パネルが遊動して開閉動作がぎくしゃくする。場合によっては、ランナーがランナー捕捉体から分離することもある。ランナー捕捉体によるランナーの捕捉位置にばらつきを生じやすいので、折り戸を全閉操作した場合に、隣接する戸パネルの間や戸枠との間に隙間を生じることがある。
【０００５】
この発明の目的は、ランナーストッパーをランナーと一体化することによって、独立したユニット部品として構成されたランナーストッパーでランナーを固定保持する場合に比べて、資材コストを減少し、さらにランナーをガイドレールに固定保持するための組み付けの手間を軽減することにある。
この発明の他の目的は、ランナーをガイドレールに対してより強固に、しかも適正に位置決めした状態で固定保持できるようにすることにある。
【０００６】
【課題を解決するための手段】
この発明は、戸パネル１に装着される取付部４と、ガイドレール２で移行案内される走行部３と、取付部４と走行部３とを連結するランナー軸５とを備えているランナーにおいて、走行部３のボディ８に、ガイドレール２と接当係合して走行部３を移動不能に固定するストッパー６が設けてあることを特徴とする。
【０００７】
第１グループにおけるストッパー６は、図１ないし図３に示すごとくボディ８で回転自在に支持されたロックねじ２４と、ロックねじ２４でねじ軸心に沿って螺進操作されるロック体２３とで構成する。ロック体２３はボディ８ないしガイドレール２で回り止め保持する。
【０００８】
具体的には、ガイドレール２の外面に露出するボディ８の一部に挟持部１４を張り出し形成して、ロック体２３と挟持部１４とで、ガイドレール２の底壁２ｃを内外から挟持して走行部３を固定する。
【０００９】
または、図４および図５に示すごとくロックねじ２４に右ねじ軸２９と左ねじ軸３０とを設ける。ロック体２３は左右のねじ軸２９・３０に噛み合う第１および第２ロック体２３ａ・２３ｂで構成する。両ロック体２３ａ・２３ｂがそれぞれガイドレール２の内面対向壁に強圧して走行部３を固定することができる。
【００１０】
第２グループのランナーにおけるストッパー６は、ボディ８にねじ込まれるロックねじ２４と、ロックねじ２４に同行して移動するロック体２３とで構成する。ロック体２３は、レール開口２ｄの開口幅より幅狭で、全長が前記開口幅より大きく設定されており、ガイドレール２の底壁２ｃに形成した係合部３５に、前記ロック体２３を係合して、走行部３を固定する。
【００１１】
第３グループのランナーにおけるストッパー６は、図８および図９に示すごとくボディ８で回転自在に支持したロックねじ２４と、ロックねじ２４と噛み合ってねじ軸心に沿って移動操作されるくさび体３８と、ねじ軸心と直交する向きに配置されて、くさび体３８で互いに離れる向きに移動操作される一対のロック体２３・２３と、両ロック体２３を互いに接近する向きに移動付勢するばね３９とで構成する。両ロック体２３・２３は、ガイドレール２の内面対向壁を強圧して走行部３を固定する。
【００１３】
【作用および発明の効果】
ランナーを構成する走行部３のボディ８にストッパー６が一体的に組み付けてあるので、ランナーストッパーを独立したユニット部品として構成する場合に比べて、ストッパー６の構造を簡素化し、その分だけ製造コストを削減できる。ランナーをガイドレール２に組み込むだけで、ストッパー６を同時にガイドレール２に組むことができるので、組み付けの手間が少なくて済む。
【００１４】
ロックねじ２４と、このねじ２４で螺進操作されるロック体２３とで構成したストッパー６においては、ロック体２３をガイドレール２の内面に強圧することによって、ランナーの走行部３を固定保持する。従って、例えば折り戸を開閉する場合に、吊元側の戸パネル１が開閉時の操作力を受けて遊動するのを確実に防止できる。弾性変形可能な捕捉体でランナーを係合保持する場合に比べて、より高い位置精度でランナーを固定保持できる。
【００１５】
ガイドレール２の壁面の一部を、ボディ８に設けた挟持部１４とロック体２３とで内外に挟持するストッパー６によれば、１個のロック体２３をガイドレール２の内面に単に強圧接当する場合に比べて、より大きな固定保持力を発揮して、走行部３をより強固に固定できる。固定保持状態における走行部３の上下方向の傾斜量も無視できる程度にまで抑止できる。
【００１６】
ストッパー６を、左右ねじ軸２９・３０を備えたロックねじ２４と、各ねじ軸２９・３０に噛み合う第１ロック体２３ａおよび第２ロック体２３ｂとで構成し、両ロック体２３ａ・２３ｂをガイドレール２の内面対向壁に逆向に強圧させて走行部３を固定するストッパー構造によれば、１個のロック体２３をガイドレール２の内面に単に強圧接当する場合に比べて、より大きな固定保持力を発揮して、走行部３をより強固に固定できる。一対のロック体２３ａ・２３ｂをガイドレール２の内面対向壁に突っ張り固定するので、走行部３を水平に維持した状態のままで固定保持できる。
【００１７】
ロック体２３をロックねじ２４で上下操作し、ガイドレール２の壁面一部に設けた係合部３５にロック体２３を嵌係するストッパー構造によれば、外部振動等によってロックねじ２４が緩むような場合にも、ロック体２３と係合部３５とが係合状態を維持している限りは、走行部３を移動不能に固定保持できる。他の形態のストッパー６に比べて、構造を簡素化しその分だけストッパー６の製造コストを削減できる。
【００１８】
くさび体３８と、くさび体３８で互いに離れる向きへ移動操作される一対のロック体２３・２３とを含むストッパー６によれば、くさび体３８のくさび作用によって両ロック体２３・２３をガイドレール２に強固に突っ張り固定できる。
【００２０】
【実施例】
（第１実施例）
図１ないし図３はこの発明に係るランナーの第１グループに属するランナーを折り戸に適用した第１実施例を示す。図２において符号１は折り戸を構成する戸パネル、２は開口枠の上枠に固定したガイドレールである。戸パネル１はその上部に固定したランナーを介してガイドレール２で吊り下げ支持してある。ガイドレール２は、図１に示すごとく上壁２ａと前後一対の立壁２ｂ、および立壁２ｂの下端に連続する前後一対の底壁２ｃとを一体に形成した、断面Ｃ字形のアルミニウム条材からなり、一対の底壁２ｃ・２ｃの突端間にレール開口２ｄを有する。底壁２ｃはランナーの走行面を兼ねており、そのために底壁２ｃの遊端にローラの蛇行を規制するリブ２ｅが設けてある。
【００２１】
図２においてランナーは、ガイドレール２で移行案内される走行部３と、戸パネル１に装着される取付部４と、走行部３と取付部４とを連結するランナー軸５と、走行部３に一体的に組まれたストッパー６などで構成する。
【００２２】
図３において走行部３は、プラスチック成形品である角形ブロック状のボディ８と、ボディ８の前後面に配置した４個のローラ９と、これらローラ９を軸支する軸１０などで構成する。ボディ８の長手方向中途部に上下貫通状の連結穴１１を設け、この連結穴１１にランナー軸５を下面側から挿通してかしめ処理することにより、ボディ８とランナー軸５とを相対回転自在に連結する。ボディ８の一側端には、開口枠の側枠に向って固定部８ａが延出してある。この固定部８ａの延出端寄りに凹部１３を切り欠き形成し、固定部８ａの下端前後に挟持部１４を張り出し形成する。挟持部１４の底面中央から凹部１３へ向って、後述するロックねじ２４用の挿通穴１５が上下貫状に通設してある。挿通穴１５の下端には、ねじ頭部を受け入れる受座が形成してある。
【００２３】
取付部４は、逆Ｌ字形に折り曲げられた取付金具１７と、この金具１７で回り止め保持される雌ねじ筒１８と、雌ねじ筒１８に上方からねじ込まれる雄ねじ体１９とからなる。先のランナー軸５は雄ねじ体１９を下方から上方へ向って縦通しており、その下端に設けた回り止め爪５ａが、雄ねじ体１９の筒壁下端の受溝２０で回り止め保持してある。雄ねじ体１９の上端には六角形状の操作部２１を有し、この操作部２１を雌ねじ筒１８に対してねじ込み操作することにより、走行部３と取付部４との上下間隔を変更調整できる。図１に示すように、雌ねじ筒１８を戸パネル１に設けたセット穴に挿嵌し、取付金具１７を戸パネル１の外面にビス止めすることにより、取付部４を戸パネル１と一体化できる。
【００２４】
ストッパー６は、ボディ８の固定部８ａの凹部１３に、上方から嵌め込み装着されるロック体２３と、挿通穴１５に下面側から挿通されてロック体２３にねじ込まれるロックねじ２４と、ロックねじ２４に外嵌する状態でロック体２３と凹部１３の底壁との間に介装される圧縮コイル形のばね２５と、前述の挟持部１４とで構成する。
【００２５】
ロック体２３は、コ字形のプレス金具からなり、その上壁の中央にロックねじ２４と噛み合うねじ穴２６を設ける。ロック体２３の前後一対の立壁の下端には、ガイドレール２に喰い込む爪２７を設ける。ロックねじ２４は市販の皿ビスからなり、固定部８ａに組み付けた状態において、ねじ全体がばね２５のばね力を受けて上向に引き上げ付勢される。そのため、皿型の頭部は挿通穴１５の下端の受座に受け止められる。
【００２６】
ランナーをガイドレール２に装填した状態において、挟持部１４はレール２の底壁２ｃの下面と僅かな隙間を介して対向している。また、ロック体２３はボディ８および固定部８ａと共にガイドレール２の内部空間に位置して、その左右側縁が凹部１３で回動不能に保持されている。この状態で、戸パネル１をレール側端寄りの適正位置に位置決めした後、戸パネル１を折りたたんで固定部８ａの下方空間を開放し、ロックねじ２４をねじ込み操作することによって、ロック体２３がレールの底壁２ｃ側へ引き寄せられ、やがて前後の爪２７が底壁２ｃに接当する。さらにロックねじ２４を締め込んで、ロック体２３を底壁２ｃに強圧し、前後一対ずつの爪２７と挟持部１４とで、前後の底壁２ｃを上下に挟持することにより、走行部３を移動不能に固定保持できる。このとき、ボディ８は挟持部１４と底壁２ｃとの間の余裕隙間の分だけ傾くが、実用上は問題ない。
【００２７】
戸パネル１の下部側は、前述した上部ランナーと同等の下部ランナーで支持する場合と、ピボットランナーで支持する場合とがある。前者の場合には、下部ランナーに上部ランナーと同様のストッパーを設けておくことによって、走行部を固定できる。ピボットランナーを用いる場合には、そのソケットをガイドレール２に位置決め固定する。
【００２８】
（第２実施例）
図４および図５は、第１グループのランナーのストッパー構造を変更した第２実施例を示す。この第２実施例においては、第１実施例と同様に、ボディ８の一側に固定部８ａを延出し、その中途部に凹部１３を切り欠き形成するが、挟持部１４は省略している。ストッパー６は、ロックねじ２４と、第１ロック体２３ａおよび第２ロック体２３ｂと、ばね２５とで構成し、両ロック体２３ａ・２３ｂを、ガイドレール２の上壁２ａと底壁２ｃとに突っ張り固定して走行部３の固定保持を行う。
【００２９】
ロックねじ２４は、その軸部に大径の右ねじ軸２９と、これより小径の左ねじ軸３０とが形成してある。第１ロック体２３ａは、先の実施例におけるロック体２３と同様にコ字形のプレス金具からなり、その上壁に右ねじ軸２９と噛み合うねじ穴２６が形成してある。前後の立壁の下端には、同様に爪２７を形成する。この第１ロック体２３ａと凹部１３の底壁との間にばね２５を介装する。第２ロック体２３ｂは第１ロック体２３ａを上下に反転したプレス金具からなり、その立壁部分の上下長が短い点と、第２ロック体２３ｂの底壁に形成するねじ穴２６が、左ねじ軸３０に対応して左ねじで形成される点とが第１ロック体２３ａと異なる。他は第１実施例と同じであるので主要な部材に同一符号を附してその説明を省略する。
【００３０】
上記のように構成したターンバックル状のストッパー６によれば、ロックねじ２４をねじ込み操作することによって、第１ロック体２３ａは下方へ、第２ロック体２３ｂは上方へそれぞれ移動する。ロックねじ２４を十分にねじ込んだ状態においては、両ロック体２３ａ・２３ｂはガイドレール２の底壁２ｃおよび上壁２ａを強圧して、合計８個の爪２７が各壁２ｃ・２ａに喰い込む状態で走行部３を固定保持する。従って、第１実施例のストッパーに比べて、より強い力で走行部３を固定できる。また、固定状態における両ロック体２３ａ・２３ｂは、どちらか一方が先にガイドレール２に接当したとしても、以後は接当反力を受けたロックねじ２４と他方のロック体とが、反力の方向へ押し戻されるので、最終的に、両ロック体２３ａ・２３ｂは均等な力でガイドレール２を強圧する。従って、ボディ８が傾くこともない。
【００３１】
（第３実施例）
図６および図７はこの発明の第２グループに属するランナーの第３実施例を示す。先の第１のグループとの相違点はストッパー構造だけであるので、相違点についてのみ説明し、他の構造については主要部材に同一符号を附して、その説明を省略する。以下の各実施例においても同様とする。
【００３２】
ストッパー６は、ボディ８の固定部８ａに下面側からねじ込んだロックねじ２４と、このねじ２４に同行して移動するロック体２３とで構成する。固定部８ａにはロックねじ２４用のねじ穴３２が上下貫通状に形成してある。さらに、ロック体２３の厚み寸法に等しい段部３３が、固定部８ａの下面に凹設してある。ロック体２３は、レール開口２ｄの開口幅より幅狭で、全長が先の開口幅より大きな横長の金属板体からなり、長手方向の両端のそれぞれが丸めてある。この丸めた係合面を符号３４で示す。ロック体２３はロックねじ２４に対して相対回動自在に外嵌装着する。ロック体２３を受け入れるために、ガイドレール２の底壁２ｃのそれぞれに部分円弧状の係合部３５が切り欠き形成されている。ロック体２３の係合面３４の仮想半径は、係合部３５の仮想半径より僅かに小さく寸法設定する。
【００３３】
施工時には、ロックねじ２４を緩めて、ロック体２３を段部３３から離しておき、この状態でランナーをガイドレール２に組み、固定部８ａの下方空間を開放する。次にロック体２３をレール開口２ｄと直交する向きに保持して、ロックねじ２４をねじ込む。これによりロック体２３はロックねじ２４に同行して上方移動し、やがて係合面３４が係合部３５へ入り込む。ロックねじ２４を完全に締め込むと、係合部３５との係合状態を維持したままで、ロック体２３の上面が段部３３と接当する状態で固定される。つまり、ロック体２３をガイドレール２と係合することにより、走行部３を移動不能に固定保持すると共に、戸パネル１を位置決めできる。この第３実施例のストッパーは、ロック体２３とロックねじ２４のみで構成するので、ストッパー構造を簡素化し、その分だけ製作コストを減少できる。
【００３７】
（第４実施例）
図８および図９はこの発明の第３グループに属するランナーの第４実施例を示しており、ここでのランナーのストッパーは、ガイドレール２の前後の立壁２ｂを突っ張って走行部３を固定保持する点が、先の各グループに属するランナーとは異なる。
【００３８】
そのストッパー６は、ロックねじ２４と、ロックねじ２４で上下操作されるくさび体３８と、くさび体３８で互いに離れる向きに移動操作される一対のロック体２３・２３と、両ロック体２３を接近する向きに移動付勢するコ字形のばね３９とで構成する。くさび体３８と両ロック体２３・２３を収容するために、ボディ８の固定部８ａにその上面と前後面で開口する、断面が逆Ｔ字形のガイド穴４０が設けてある。くさび体３８は上方からガイド穴４０に装填されて、上下スライド自在に案内支持される。両ロック体２３・２３は前後からガイド穴４０に装填されて、前後スライド自在に案内支持される。
【００３９】
ロックねじ２４は固定部８ａの下面側からガイド穴４０内へ差し込まれて、そのねじ軸がくさび体３８にねじ込んである。ロックねじ２４をねじ込むと、くさび体３８が下向きに引き寄せられる。くさび体３８とロック体２４とは、下すぼまりテーパー状の傾斜面を介して接当している。従って、くさび体３８の下方移動によって、両ロック体２３はばね３９の付勢に抗して前後へ押し出され、それぞれの突端面がガイドレールの立壁２ｂに強圧し、走行部３を固定保持する。
【００４１】
この発明では、走行部３のボディ８にストッパー６を組み込む。従って、ボディ８を備えている走行部３であれば、その構造は実施例で例示した以外の構造であってもよい。例えば、ローラ９の数や、ボディ８に対する配置は他の形態を採ることができる。取付部４の構造も同様に限定するものではなくて、戸パネル１に対して固定できる機能を満足できればよい。必要があれば、ボディ８の両側に固定部８ａを延出して、そのいずれか一方にストッパー６を組み付けることができる。ボディ８はプレス成形金具であってもよい。この発明のランナーは折り戸の下部ランナーや、引き戸にも適用できる。引き戸に適用する場合には、ランナーをガイドレール２に組んだ後、戸パネル１をランナーに組み付ける。ストッパー６はランナーをガイドレールの任意位置に固定保持するために使用することができる。ガイドレール２は断面Ｃ字形である必要はない。
【図面の簡単な説明】
【図１】  図２におけるＡ−Ａ線断面図である。
【図２】  第１実施例のランナーの一部を破断した正面図である。
【図３】  第１実施例のランナーの分解正面図である。
【図４】  第２実施例のランナーの一部破断正面図である。
【図５】  図４におけるＢ−Ｂ線断面図である。
【図６】  第３実施例のランナーの一部破断正面図である。
【図７】  図６におけるＣ−Ｃ線矢視図である。
【図８】  第４実施例のランナーの正面図である。
【図９】  図８におけるＥ−Ｅ線矢視図である。  
【符号の説明】
１  戸パネル
２  ガイドレール
３  走行部
４  取付部
５  ランナー軸
６  ストッパー
８  ボディ
１４  挟持部
２３  ロック体
２４  ロックねじ
【図１】
0004390229.tif 000002
【図２】
0004390229.tif 000003
【図３】
0004390229.tif 000004
【図４】
0004390229.tif 000005
【図５】
0004390229.tif 000006
【図６】
0004390229.tif 000007
【図７】
0004390229.tif 000008
【図８】
0004390229.tif 000009
【図９】
0004390229.tif 000010